【事件の表示】
　特願２０１８−　　７８８６「駆動回路および発光装置」拒絶査定不服審判事件〔平成３０年１１月１５日出願公開、特開２０１８−１８０５１７〕について、次のとおり審決する。
【結　論】
　本件審判の請求は、成り立たない。
【理　由】
第１　手続の経緯
　本願は、平成３０年１月２２日にされた特許出願（パリ条約による優先権主張、平成２９年４月１２日、台湾）である。
　平成３０年１０月３１日付けで拒絶理由が通知（発送日：平成３０年１１月１３日）された後、平成３１年２月１２日付けで特許請求の範囲についての補正がされ、令和元年６月２７日付けで拒絶査定（以下「原査定」という。）がされ、同年７月９日に査定の謄本が送達された。
　これに対して、令和元年１１月５日に拒絶査定不服審判が請求され、同時に特許請求の範囲についての補正（以下「本件補正」という。）がされた。
第２　補正の却下の決定
［補正の却下の決定の結論］
　本件補正を却下する。
［補正の却下の決定の理由］
１　本件補正の内容
　本件補正は、特許請求の範囲についての補正をするものである。本件補正前（平成３１年２月１２日付けの補正の後をいう。以下同じ。）及び本件補正後の特許請求の範囲の記載は、以下のとおりである。
（１）本件補正前
　下線は、本件補正より削除された記載を示す。
「【請求項１】
　発光ダイオードモジュールを駆動するための駆動回路であって、
　制御モジュールと、
　前記制御モジュールおよび前記発光ダイオードモジュールに電気的に接続されており、前記発光ダイオードモジュールを駆動するように複数の駆動信号を提供する駆動モジュールと、
　前記発光ダイオードモジュールおよび前記制御モジュールに電気的に接続され、前記発光ダイオードモジュールの電圧または電流を検出して、前記電圧または前記電流に対応する検出信号を前記制御モジュールに送信する検出モジュールと、を備え、
　前記制御モジュールは、前記発光ダイオードモジュールを前記複数の駆動信号の少なくとも一つの駆動時間において均一に発光させるように、前記検出信号に応じて、前記複数の駆動信号の少なくとも一つの波形を調整し、
　前記検出信号は、
前記発光ダイオードモジュールが点滅する際の
　ことを特徴とする駆動回路。
　　【請求項２】
　前記所定の時間は、ピコ秒から数十マイクロ秒である
　ことを特徴とする、請求項１に記載の駆動回路。
　　【請求項３】
　前記制御モジュールは、
　前記検出信号に応じて前記少なくとも一つの前記複数の駆動信号の波形を調整する補償ユニットをさらに備える
　ことを特徴とする、請求項１に記載の駆動回路。
　　【請求項４】
　前記制御モジュールは、前記制御モジュールが前記複数の駆動信号の前記複数の波形を調整する複数の補償パラメータを記憶するための記憶ユニットをさらに備える
　ことを特徴とする、請求項１に記載の駆動回路。
　　【請求項５】発光ダイオードモジュールと、
　制御モジュールと、
　前記制御モジュールおよび前記発光ダイオードモジュールに電気的に接続されており、前記発光ダイオードモジュールを駆動するように複数の駆動信号を提供する駆動モジュールと、
　前記発光ダイオードモジュールおよび前記制御モジュールに電気的に接続され、前記発光ダイオードモジュールの電圧または電流を検出して、前記電圧または前記電流に対応する検出信号を前記制御モジュールに送信する検出モジュールと、を備え、
　前記制御モジュールは、前記発光ダイオードモジュールを波形が調整された駆動信号の駆動時間において均一に発光させるように、前記検出信号に応じて、複数の駆動信号の中の一つの前記駆動信号の波形を調整し、
　前記検出信号は、
前記発光ダイオードモジュールが点滅する際の
　ことを特徴とする発光装置。
　　【請求項６】
　前記発光ダイオードモジュールは、
　第１発光ダイオード列と、
　第２発光ダイオード列と、を備え、
　前記駆動モジュールは、前記第１発光ダイオード列および前記第２発光ダイオード列をそれぞれ駆動するように、複数の第１駆動信号および複数の第２駆動信号を提供し、
　前記制御モジュールは、前記第１発光ダイオード列および前記第２発光ダイオード列をそれぞれ波形が調整された前記第１駆動信号および波形が調整された前記第２駆動信号のそれぞれの駆動時間において均一に発光させるように、前記第１発光ダイオード列の第１検出信号および前記第２発光ダイオード列の第２検出信号のそれぞれに応じて、前記複数の第１駆動信号の少なくとも一つおよび前記複数の第２駆動信号の少なくとも一つを調整する
　ことを特徴とする、請求項５に記載の発光装置。」
（２）本件補正後
　下線は、補正箇所を示す。
「【請求項１】
　発光ダイオードモジュールを駆動するための駆動回路であって、
　制御モジュールと、
　前記制御モジュールおよび前記発光ダイオードモジュールに電気的に接続されており、前記発光ダイオードモジュールを駆動するように複数の駆動信号を提供する駆動モジュールと、
　前記発光ダイオードモジュールおよび前記制御モジュールに電気的に接続され、前記発光ダイオードモジュールの電圧または電流を検出して、前記電圧または前記電流に対応する検出信号を前記制御モジュールに送信する検出モジュールと、を備え、
　前記制御モジュールは、前記発光ダイオードモジュールを前記複数の駆動信号の少なくとも一つの駆動時間において均一に発光させるように、前記検出信号に応じて、前記複数の駆動信号の少なくとも一つの波形を調整し、
　前記検出信号は、所定の時間内における電圧変化量または電流変化量で
あり、前記電圧または前記電流に対応する連続的な波形で
　ことを特徴とする駆動回路。
　　【請求項２】
　
前記駆動信号の駆動時間Ｔにおいて、
ΔＴ
　ことを特徴とする、請求項１に記載の駆動回路。
　　【請求項３】
　前記制御モジュールは、
　前記検出信号に応じて前記少なくとも一つの前記複数の駆動信号の波形を調整する補償ユニットをさらに備える
　ことを特徴とする、請求項１に記載の駆動回路。
　　【請求項４】
　前記制御モジュールは、前記制御モジュールが前記複数の駆動信号の前記複数の波形を調整する複数の補償パラメータを記憶するための記憶ユニットをさらに備える
　ことを特徴とする、請求項１に記載の駆動回路。
　　【請求項５】
　発光ダイオードモジュールと、
　制御モジュールと、
　前記制御モジュールおよび前記発光ダイオードモジュールに電気的に接続されており、前記発光ダイオードモジュールを駆動するように複数の駆動信号を提供する駆動モジュールと、
　前記発光ダイオードモジュールおよび前記制御モジュールに電気的に接続され、前記発光ダイオードモジュールの電圧または電流を検出して、前記電圧または前記電流に対応する検出信号を前記制御モジュールに送信する検出モジュールと、を備え、
　前記制御モジュールは、前記発光ダイオードモジュールを波形が調整された駆動信号の駆動時間において均一に発光させるように、前記検出信号に応じて、複数の駆動信号の中の一つの前記駆動信号の波形を調整し、
　前記検出信号は、所定の時間内における電圧変化量または電流変化量で
あり、前記電圧または前記電流に対応する連続的な波形で
　ことを特徴とする発光装置。
　　【請求項６】
　前記発光ダイオードモジュールは、
　第１発光ダイオード列と、
　第２発光ダイオード列と、を備え、
　前記駆動モジュールは、前記第１発光ダイオード列および前記第２発光ダイオード列をそれぞれ駆動するように、複数の第１駆動信号および複数の第２駆動信号を提供し、
　前記制御モジュールは、前記第１発光ダイオード列および前記第２発光ダイオード列をそれぞれ波形が調整された前記第１駆動信号および波形が調整された前記第２駆動信号のそれぞれの駆動時間において均一に発光させるように、前記第１発光ダイオード列の第１検出信号および前記第２発光ダイオード列の第２検出信号のそれぞれに応じて、前記複数の第１駆動信号の少なくとも一つおよび前記複数の第２駆動信号の少なくとも一つを調整する
　ことを特徴とする、請求項５に記載の発光装置。」
２　本件補正の目的
　特許法第１７条の２第５項の規定によれば、拒絶査定不服審判の請求と同時にする特許請求の範囲についての補正は、請求項の削除（第１号）、特許請求の範囲の減縮（第２号）、誤記の訂正（第３号）、明りょうでない記載の釈明（第４号）のいずれかを目的とするものに限るとされている。
　本件補正のうち、請求項１に係る補正は、本件補正前の「前記発光ダイオードモジュールが点滅する際の所定の時間内における電圧変化量または電流変化量」という記載から、「前記発光ダイオードモジュールが点滅する際の」という限定を省き、「所定の時間内における電圧変化量または電流変化量」と補正することを含むものである。この補正事項が、上記第２号に掲げられた特許請求の範囲の減縮を目的とするものに該当しないことは明らかである。
　また、上記補正事項が、上記第１、３、４の各号に掲げられた目的のいずれにも該当しないことは明らかである。
　したがって、本件補正は、特許法第１７条の２第５項に掲げられた目的のいずれにも該当しないから、本件補正は、同項の規定に違反するのであり、同法第１５９条第１項で読み替えて準用する同法第５３条第１項の規定により却下すべきものである。
　よって、上記［補正の却下の決定の結論］のとおり、決定する。
第３　本願発明について
１　本願に係る発明
　本件補正は、上記第２において述べたとおり却下されたから、本願の請求項１から請求項６に係る発明は、本件補正前の特許請求の範囲の請求項１から請求項６に記載された事項により特定されるとおりのものであるところ、請求項１の記載は、以下のとおりである（以下、請求項１に係る発明を「本願発明」という。）。
＜本願発明＞
「発光ダイオードモジュールを駆動するための駆動回路であって、
　制御モジュールと、
　前記制御モジュールおよび前記発光ダイオードモジュールに電気的に接続されており、
前記発光ダイオードモジュールを駆動するように複数の駆動信号を提供する駆動モジュールと、
　前記発光ダイオードモジュールおよび前記制御モジュールに電気的に接続され、前記発光ダイオードモジュールの電圧または電流を検出して、前記電圧または前記電流に対応する検出信号を前記制御モジュールに送信する検出モジュールと、を備え、
　前記制御モジュールは、前記発光ダイオードモジュールを前記複数の駆動信号の少なくとも一つの駆動時間において均一に発光させるように、前記検出信号に応じて、前記複数の駆動信号の少なくとも一つの波形を調整し、
　前記検出信号は、前記発光ダイオードモジュールが点滅する際の所定の時間内における電圧変化量または電流変化量である
　ことを特徴とする駆動回路。」
２　原査定における拒絶の理由の概要
　原査定における拒絶の理由のうち、本願発明に関するものは、次のとおりである。
　本願発明は、以下の引用文献に記載された発明に基づいて、その優先日前にその発明の属する技術の分野における通常の知識を有する者が容易に発明をすることができたものであるから、特許法第２９条第２項の規定により、特許を受けることができない。
　　引用文献：国際公開第２０１６／１２８７１６号
３　引用文献に記載された発明
（１）引用文献に記載された技術事項。
　引用文献には、以下の記載がある。翻訳文は、引用文献（国際公開第２０１６／１２８７１６号）の公表特許公報である特表２０１８−５０８０３３に依り、参照を容易にするため、公表特許公報の段落番号も記してある。なお、下線は、当審が付した。
１頁３−７行
「
」
「【技術分野】
【０００１】
　本発明は、発光ダイオード（ＬＥＤ）などの半導体デバイスを発光させるための駆動器に関する。特に、排他的ではないが、本発明は、ディスプレイパネルまたはプロジェクタ等のディスプレイシステムにおけるＬＥＤ用の駆動器に関する。」
１頁９−１９行
「
」
「【背景技術】
【０００２】
　ディスプレイパネルおよびプロジェクタの色順次式発光は、画像担持光の光源としてＬＥＤを使用することができる。画像は、ディスプレイパネルの中のＬＥＤのアレイ内のＬＥＤの選択されたパターンからパターン化された光の短いパルスを用いて形成される。カラー画像を表示するために、ＬＥＤのアレイは、短いパルスの速い連続で、繰り返し、所望のパターンを生成するように制御されなければならない。これは、ディスプレイパネルが、３つの色成分値（例えば、赤、緑、青）の各々の１つで所望のパターンを表示することを許容する。順次式表示の効果は、視覚的に言えば、フルカラーで所望のパターンを表示することである。もちろん、所望のパターンは、静止画像であってもよいし、または、動画像の１つのフレームに対応してもよい。」
１頁２０−２４行
「
」
「【０００３】
　高品質画像を達成するために、ＬＥＤからの光出力は、理想的には、ＬＥＤが「オン」状態にあるときの時間にわたって均一であるべきである。理想的には、各ＬＥＤが、有意な遅延なく、「オン」と「オフ」との間で素早く変化するように、ＬＥＤは、ディスプレイパネルの切り替えと良好に同期されるべきである。
」
２頁２８行−３頁７行
「
 
」
「【発明の概要】
【０００８】
　その態様の第１において、
本発明は、ディスプレイのための光を生成するために、発光ダイオード（light-emitting diode：ＬＥＤ）を非発光状態と発光状態との間で切り替えるためのＬＥＤディスプレイ用の駆動回路を提供し
３頁２４行−４頁９行
「
 
」
「【００１３】
　
電荷注入器ユニットは、ＬＥＤの順方向閾値電圧の値とＬＥＤの接合静電容量の値の積によって決定される値に応じた所定量の電荷をＬＥＤに入力するように構成され
ＬＥＤの接合静電容量（Ｃ）の値を計算するのに以下のステップを実装する
【００１４】
　
（１）ＬＥＤの接合静電容量（Ｃ）内の既存の保持された電荷を放電する。
【００１５】
　
（２）接合静電容量を再充電することを開始するために、ＬＥＤから実質的に一定の電流（Ｉ）を引き出す。
【００１６】
（３）接合静電容量が再充電する場合に所定の時間間隔（ｄｔ）に生じるＬＥＤの両端間の電圧の変化（ｄｖ）を決定する。
７頁２７行−８頁３行
「
」
「【００４１】
　
図４を参照すると、駆動回路１
静電容量３の等価回路コンポーネントによって図１に表された接合静電容量を有するＬＥＤ２を含む
８頁４−１４行
「
」
「【００４２】
　
ＬＥＤのアノードは、ＬＥＤのカソードと供給電圧源５との間の電気的なやり取りを制御可能に開閉する（接続および切断する）スイッチングトランジスタ４（ここではＦＥＴ）を介して、供給電圧源５（接地に対して電圧Ｖ）に接続される。トランジスタのゲート端子はＬＥＤ電圧制御ユニット６に電気的に接続され、トランジスタのドレインとソース端子は、供給電圧源５とＬＥＤのアノードに電気的に接続される。電圧制御ユニット６は、結果としてＬＥＤのアノードを供給電圧源５に電気的に接続する／切断するために、電圧制御ユニット６によってゲート端子に印加される制御電圧に応じて、スイッチングトランジスタ４の導電性を制御するように構成される。」
８頁１５−２５行
「
」
「【００４３】
　同様に、
ＬＥＤのカソードは、電気的に接地される端子７（０ボルト（volt））で終端する電流流路に沿って、電流検出抵抗９と直列に接続された電流制御用トランジスタ８（ここではＦＥＴ）に接続される。電流制御トランジスタのドレインとソース端子は、それぞれ、ＬＥＤのカソードと電流検出抵抗９に接続される。トランジスタのゲートは、トランジスタを線形／オーミック（Ohmic）領域で動作させ、それによって、トランジスタの導電性（ドレイン電流）がトランジスタを通るドレインからソースへの電圧降下に応じて可変である（即ち、可変抵抗の態様で）ように、トランジスタ８の閾値電圧より低い電圧をゲート端子に印加するよう構成された駆動電流制御ユニット１０に接続され
８頁２６行−９頁６行
「
 
」
「【００４４】
導電性であるように駆動電流制御ユニットにより制御されるとき、電流制御トランジスタ８は、電流が、電流検出抵抗９を介して、接地された端子７への電流流路に沿ってＬＥＤ２のカソードから流れることを許容する。そうすることにおいて、電圧は、電流検出抵抗を通して降下され、この電圧は、この目的のために、当技術分野で容易に利用手可能であるような電圧モニタを備える
電流モニタユニット１１によって検出される。
によるオームの法則（Ｉｄｅｔｅｃｔｅｄ ＝ Ｖｄｅｔｅｃｔｅｄ／ Ｒ）によって、検出された電流信号値（Ｉｄｅｔｅｃｔｅｄ）に変換される。このようにして、
電流モニタは、ＬＥＤが「オフ」である場合に何らかの電流の流れがないことを簡単に検出し、また、ＬＥＤが「オン」である場合に電流流路に存在する任意の駆動電流の値を提供することを可能にする。
９頁７−１８行
「
」
「【００４５】
　電流モニタが、「オフ」状態（即ち、電流が検出されない）から「オン」状態（即ち、駆動電流が検出される）になる遷移を検出すると、それは、それに動作可能に接続された制御ユニット１２に「充電要求（charge demand）」信号２１を発行する。更に、検出された電流の値は、電流モニタユニット１１によって、「電流フィードバック」信号２０として、駆動電流制御ユニット１０に送られる。駆動電流制御ユニットは、受け取られた検出された電流値を、「設定ポイント（set-point）」電流値（ＩＳＰ）と比較し、検出された電流の値を設定ポイント電流値に接近させる必要に応じてトランジスタの導電性を増加または減少させるために、電流制御用トランジスタ８のゲートに印加される電圧の値を変化させるように構成される。従って、フィードバックループが形成され、
電流流路を通じて流れる電流が所望の一定値に維持されることを可能にする
９頁１９行−１０頁２行
「
 
」
「【００４６】
　
制御ユニット１２は、制御信号バス４４を介して、電荷注入器ユニット１３に電荷注入信号１６を発行することにより、電流モニタからの「充電要求」信号２１に応答するように構成される。電荷注入器ユニットは、ＬＥＤの接合静電容量３を充電するように、制御された量の電荷をＬＥＤに入力するために、電荷注入信号に応答する。
１０頁３−１２行
「
」
「【００４７】
　駆動電流が検出された即座のそのような電荷の注入の結果は、さもなければ、ＬＥＤの「点灯（turn-on）」の初期段階におけるＬＥＤの接合静電容量の充電に因り生じたであろう電流損失を補償するのに十分な量だけ、駆動電流値が最初に幾分か増進されることである。この電流の増進は、図５における追加の電流ピーク３０として概略的に示され、
ＬＥＤの結果としての輝度は、「点灯（turn-on）」時、および、それ以降も実質的に一定である
１１頁２８行−１２頁３行
「
 
」
「【００５１】
　（３）
接合静電容量が充電されるとき、ＬＥＤの両端間で、時間期間（ｄｔ）にわたる電圧（ｄＶ）の変化（例えば、落下）を測定する。この電圧は、ＬＥＤのカソードにおける電圧をモニタするように、および、制御ユニット１２にその結果を入力するように構成されるカソード電圧モニタユニット４０によってモニタされる。制御ユニット、または、カソード電圧モニタ４０は、所与の時間間隔（ｄｔ）後に起こった、測定された電圧変化（ｄＶ）の値を決定し、または、計算するよう構成される。
１２頁１２行−１３頁１５行
「
 
」
「【００５３】
　（５）ＬＥＤの接合静電容量源を十分に充電するように、 Δｔ ＝ Ｃ （ＶＴｈ− Ｖｐｃ）／Ｉｉｎｊｅｃｔ として規定された時間間隔の間、実質的に固定された電流（Ｉｉｎｊｅｃｔ）をＬＥＤに注入する。ここで、ＶＴｈは、ＬＥＤの順方向閾値電圧であり、Ｖｐｃは、ゼロでない、閾値下の値に事前設定され得る、ＬＥＤの両端間に事前に存在する（事前チャージ）電圧である。好ましくは、電流制御ユニット１０は、時間間隔Δｔを計算するように構成され、時間間隔Δ ｔ の間高速スイッチ４６を閉じ、それによって一定電流源４５をＬＥＤのカソードに接続し、従って接合静電容量に電荷を注入することによって電荷注入を実現するために、制御信号１６を電荷注入器ユニット１３（図４；より詳細には図６）に対して発行するように構成され得る。本例において、カソードにおける電圧を言及する場合、好ましくは、電圧は、値において落下する。しかし、ＬＥＤの両端間の電圧に言及すると、好ましくは、電圧は、値において、増加する、または、上昇する（ramping）。このように、ＬＥＤの両端間の電圧を、時間をかけて線形的に増加する（徐々に上げる）ことによって、固定された接合静電容量が、ＬＥＤから引き出される一定電流を生成する。従って、ＬＥＤに印加される電圧を上昇させる間に、ＬＥＤから引き出される電流を測定することによって、ＬＥＤの両端間のバイアス電圧上の静電容量を決定し、電荷注入器１３によってＬＥＤに注入されるのに必要とされる電荷の量を決定し得ることが見出された。好ましくは、ＬＥＤの両端間に印加される線形的に上昇される電圧は、ＬＥＤから引き出されるほぼ全ての電流がＬＥＤの中の接合静電容量から引き出されるように、ＬＥＤが非導電状態のままであることを確実にするために、ＬＥＤの閾値電圧以下に制限される。これは、ＬＥＤの接合静電容量から放電される電荷と、結果として電流を生成することに因るものである。ＬＥＤへの電流増加（ブースト）のこの注意深く測定された印加の結果は、図５において付加的な電流ピーク３０として概略的に示され、結果としてのＬＥＤの輝度は、ＬＥＤの「点灯（turn-on）」時およびそれ以降に、実質的に一定である。図５では、電流パルスの終了は、落ち込み（dip）３１を有する。これは、ＬＥＤの接合静電容量から放電される電流に起因する。「オン」状態から「オフ」状態へのＬＥＤ の出力輝度における急速な変化を達成するために、
電荷ステア（steer）ユニット１７
電荷ステアユニットは、ＬＥＤのカソードとアノードとの間の電位差を、ＬＥＤの閾値電圧以下であるように減少させるのに十分である電圧を、ＬＥＤのカソードに印加するように構成される。結果的に、ＬＥＤは、非発光となることにより応答し、図５（項目３１）に示されるように、急速に放電することを可能にする。
１３頁２７行−１４頁７行
「
 
」
「【００５５】
　例えば、図４に示され、図６により詳細に示されたように、電
荷ステアユニット１７は、
制御ユニット１２からの制御信号を受けるために、信号バス線４４に接続される。
「
」
（図４からの認定事項）
　図４からは、ＬＥＤ電圧制御器（６）が電流制御器（１０）からの電圧要求を受け、電流制御器（１０）は、制御ユニット（１２）から電流要求を受け、制御されていることが見て取れる。
「
」
（２）引用文献に記載された発明の認定
　上記アの記載事項を総合すると、引用文献１には下記の発明（以下「引用発明」という。）が記載されていると認められる。
＜引用発明＞
　ディスプレイのための光を生成するために、発光ダイオード（ＬＥＤ）を非発光状態と発光状態との間で切り替えるためのＬＥＤディスプレイ用の駆動回路１であって（【０００８】、【００４１】）、
　次のＡからＤを備え、
　　Ａ）接合静電容量を有するＬＥＤ２（【００４１】）、
　　Ｂ）制御ユニット１２と（【００４６】、【００５５】）、
　　Ｃ）ＬＥＤ電圧制御ユニット６、駆動電流制御ユニット１０、電荷注入器ユニット１３、電荷ステアユニット１７（【００４２】、【００４３】、【００４６】、【００５３】）、
　　Ｄ）カソード電圧モニタユニット４０、電流モニタユニット１１（【００４４】、【００５１】）、
　電荷注入器ユニット１３は、ＬＥＤ２の順方向閾値電圧の値とＬＥＤ２の接合静電容量の値の積によって決定される値に応じた所定量の電荷をＬＥＤ２に入力するように構成され、ＬＥＤ２の接合静電容量（Ｃ）の値を計算するのに以下のステップ（ア）から（ウ）を実装し（【００１３】）、
　（ア）ＬＥＤ２の接合静電容量（Ｃ）内の既存の保持された電荷を放電するステップ（【００１４】）；
　（イ）接合静電容量を再充電することを開始するために、ＬＥＤ２から実質的に一定の電流（Ｉ）を引き出すステップ（【００１５】）；
　（ウ）接合静電容量が再充電する場合に所定の時間間隔（ｄｔ）に生じるＬＥＤ２の両端間の電圧の変化（ｄｖ）を決定するステップ（【００１６】）、
　ＬＥＤ２のアノードは、ＬＥＤ２のカソードと供給電圧源５との間の電気的なやり取りを制御可能に開閉する（接続および切断する）スイッチングトランジスタ４（ここではＦＥＴ）を介して、供給電圧源５（接地に対して電圧Ｖ）に接続され、トランジスタのゲート端子はＬＥＤ電圧制御ユニット６に電気的に接続され、トランジスタのドレインとソース端子は、供給電圧源５とＬＥＤ２のアノードに電気的に接続され、ＬＥＤ電圧制御ユニット６は、結果としてＬＥＤ２のアノードを供給電圧源５に電気的に接続する／切断するために、ＬＥＤ電圧制御ユニット６によってゲート端子に印加される制御電圧に応じて、スイッチングトランジスタ４の導電性を制御するように構成され（【００４２】）、
　ＬＥＤ２のカソードは、電気的に接地される端子７（０ボルト（volt））で終端する電流流路に沿って、電流検出抵抗９と直列に接続された電流制御用トランジスタ８（ここではＦＥＴ）に接続され、電流制御トランジスタのドレインとソース端子は、それぞれ、ＬＥＤ２のカソードと電流検出抵抗９に接続され、トランジスタのゲートは、トランジスタを線形／オーミック（Ohmic）領域で動作させ、それによって、トランジスタの導電性（ドレイン電流）がトランジスタを通るドレインからソースへの電圧降下に応じて可変である（即ち、可変抵抗の態様で）ように、トランジスタ８の閾値電圧より低い電圧をゲート端子に印加するよう構成された駆動電流制御ユニット１０に接続され（【００４３】）、電流流路を通じて流れる電流が所望の一定値に維持されることを可能にし（【００４５】）、
　電流モニタユニット１１は、ＬＥＤ２が「オフ」である場合に何らかの電流の流れがないことを簡単に検出し、また、ＬＥＤ２が「オン」である場合に電流流路に存在する任意の駆動電流の値を提供することを可能にし（【００４４】）、
　制御ユニット１２は、制御信号バス４４を介して、電荷注入器ユニット１３に電荷注入信号１６を発行することにより、電流モニタからの「充電要求」信号２１に応答するように構成され、電荷注入器ユニット１３は、ＬＥＤ２の接合静電容量３を充電するように、制御された量の電荷をＬＥＤ２に入力するために、電荷注入信号に応答し（【００４６】）、
　ＬＥＤ２の結果としての輝度は、点灯（turn-on）時、および、それ以降も実質的に一定であり（【００４７】）、
　接合静電容量が充電されるとき、ＬＥＤ２の両端間で、時間期間（ｄｔ）にわたる電圧（ｄＶ）の変化電圧は、ＬＥＤ２のカソードにおける電圧をモニタするように、および、制御ユニット１２にその結果を入力するように構成されるカソード電圧モニタユニット４０によってモニタされ、制御ユニット１２、または、カソード電圧モニタ４０は、所定の時間間隔（ｄｔ）後に起こった、測定された電圧変化（ｄＶ）の値を決定し、または、計算するよう構成され（【００５１】）、
　電荷ステアユニット１７は、ＬＥＤ２のカソードとアノードとの間の電位差を、ＬＥＤ２の閾値電圧以下であるように減少させるのに十分である電圧を、ＬＥＤ２のカソードに印加するように構成され、結果的に、ＬＥＤ２は、非発光となることにより応答し、急速に放電することを可能にし（【００５３】）、
　電荷ステアユニット１７は、制御ユニット１２からの制御信号を受けるために、信号バス線４４に接続され（【００５５】）、
　ＬＥＤ電圧制御ユニット６が駆動電流制御ユニット１０からの電圧要求を受け、駆動電流制御ユニット１０は、制御ユニット１２から電流要求を受け、制御されている（図４からの認定事項）、
　駆動回路。
４　対比
（１）本願発明と引用発明の対比
　本願発明と引用発明を対比する。
ア　引用発明の「ＬＥＤディスプレイ用」の「発光ダイオード（ＬＥＤ）」は、「ディスプレイのための光を生成するため」のものであるから、「発光ダイオードモジュール」の一種であることは明らかである。したがって、「発光ダイオードモジュールを駆動するための駆動回路」である本願発明と「ディスプレイのための光を生成するために、発光ダイオード（ＬＥＤ）を非発光状態と発光状態との間で切り替えるためのＬＥＤディスプレイ用の駆動回路」である引用発明は、「発光ダイオードモジュールを駆動するための駆動回路」の点で一致している。
イ　引用発明の「制御モジュール」は、本願発明の「制御ユニット１２」に相当する。したがって、本願発明と引用発明は「制御モジュール」を備える点で一致している。
ウ
（ア）引用発明の「ＬＥＤ電圧制御ユニット６」は、「結果としてＬＥＤ２のアノードを供給電圧源５に電気的に接続する／切断するために、ＬＥＤ電圧制御ユニット６によってゲート端子に印加される制御電圧に応じて、スイッチングトランジスタ４の導電性を制御するように構成され」ている。
　引用発明の「駆動電流制御ユニット１０」は、「トランジスタのゲートは、トランジスタを線形／オーミック（Ohmic）領域で動作させ、それによって、トランジスタの導電性（ドレイン電流）がトランジスタを通るドレインからソースへの電圧降下に応じて可変である（即ち、可変抵抗の態様で）ように、トランジスタ８の閾値電圧より低い電圧をゲート端子に印加するよう構成され」、「電流流路を通じて流れる電流が所望の一定値に維持されることを可能に」するものである。
　引用発明の「電荷注入器ユニット１２」は、「ＬＥＤ２の順方向閾値電圧の値とＬＥＤ２の接合静電容量の値の積によって決定される値に応じた所定量の電荷をＬＥＤ２に入力するように構成され」ている。
　引用発明の「電荷ステアユニット１７」は、「ＬＥＤ２のカソードとアノードとの間の電位差を、ＬＥＤ２の閾値電圧以下であるように減少させるのに十分である電圧を、ＬＥＤ２のカソードに印加するように構成され、結果的に、ＬＥＤ２は、非発光となることにより応答し、急速に放電することを可能にし」ている。
　したがって、引用発明の「ＬＥＤ電圧制御ユニット６」及び「スイッチングトランジスタ４」、「駆動電流制御ユニット１０」及び「電流制御用トランジスタ８」、「電荷注入器ユニット１２」並びに「電荷ステアユニット１７」は、全体として、発光ダイオードモジュールを駆動するように駆動信号を提供するものであるから、本願発明の「前記発光ダイオードモジュールを駆動するように駆動信号を提供する駆動モジュール」に相当するということができる。そして、「ＬＥＤ電圧制御ユニット６」及び「スイッチングトランジスタ４」、「駆動電流制御ユニット１０」及び「電流制御用トランジスタ８」、「電荷注入器ユニット１２」並びに「電荷ステアユニット１７」は、全体として、「ＬＥＤ２」に電気的に接続していることは明らかである。
（イ）引用発明においては、「ＬＥＤ電圧制御ユニット６が駆動電流制御ユニット１０からの電圧要求を受け、駆動電流制御ユニット１０は、制御ユニット１２から電流要求を受け、制御されている」から、「ＬＥＤ電圧制御ユニット６」と「電流制御ユニット１０」は全体として、「制御ユニット１２」に電気的に接続していることは明らかである。
　引用発明における「電荷ステアユニット１７」は、「制御ユニット１２からの制御信号を受けるために、信号バス線４４に接続される」から、「制御ユニット１２」に電気的に接続していることは明らかである。
　引用発明にいては、「制御ユニット１２は、制御信号バス４４を介して、電荷注入器ユニット１３に電荷注入信号１６を発行する」から、「電荷注入器ユニット１３」は、「制御ユニット１２」に電気的に接続していることは明らかである。
（ウ）上記（ア）及び（イ）の点を踏まえると、本願発明と引用発明は、「前記制御モジュールおよび前記発光ダイオードモジュールに電気的に接続されており、前記発光ダイオードモジュールを駆動するように駆動信号を提供する駆動モジュール」を備える点で一致している。
エ　引用発明においては、「接合静電容量が充電されるとき、ＬＥＤ２の両端間で、時間期間（ｄｔ）にわたる電圧（ｄＶ）の変化電圧は、ＬＥＤ２のカソードにおける電圧をモニタするように、および、制御ユニット１２にその結果を入力するように構成されるカソード電圧モニタユニット４０によってモニタされ」、「カソード電圧モニタ４０」が「所定の時間間隔（ｄｔ）後に起こった、測定された電圧変化（ｄＶ）の値を決定し、または、計算するよう構成され」ているものを含むから、この「ＬＥＤ２のカソードにおける電圧」は、本願発明の「発光ダイオードモジュールの電圧」に相当し、「時間期間（ｄｔ）にわたる電圧（ｄＶ）の変化電圧」は、本願発明の「前記電圧または前記電流に対応する検出信号」に相当し、「カソード電圧モニタユニット４０」は、本願発明の「発光ダイオードモジュールの電圧を検出」する「検出モジュール」に相当する。
　そうすると、本願発明と引用発明は、「前記発光ダイオードモジュールおよび前記制御モジュールに電気的に接続され、前記発光ダイオードモジュールの電圧を検出して、前記電圧または前記電流に対応する検出信号を前記制御モジュールに送信する検出モジュール」を備える点において一致している。
オ　引用発明においては、「電荷注入器ユニット１３は、ＬＥＤ２の順方向閾値電圧の値とＬＥＤ２の接合静電容量の値の積によって決定される値に応じた所定量の電荷をＬＥＤ２に入力するように構成され、ＬＥＤの接合静電容量（Ｃ）の値を計算するのに」、「（ア）ＬＥＤ２の接合静電容量（Ｃ）内の既存の保持された電荷を放電するステップ；（イ）接合静電容量を再充電することを開始するために、ＬＥＤ２から実質的に一定の電流（Ｉ）を引き出すステップ；（ウ）接合静電容量が再充電する場合に所定の時間間隔（ｄｔ）に生じるＬＥＤ２の両端間の電圧の変化（ｄｖ）を決定するステップ」を実装しており、「ＬＥＤ２の結果としての輝度は、点灯（turn-on）時、および、それ以降も実質的に一定であり」、「電荷ステアユニット１７は、ＬＥＤ２のカソードとアノードとの間の電位差を、ＬＥＤ２の閾値電圧以下であるように減少させるのに十分である電圧を、ＬＥＤ２のカソードに印加するように構成され、結果的に、ＬＥＤ２は、非発光となることにより応答し、急速に放電することを可能にし」、「接合静電容量が充電されるとき、ＬＥＤ２の両端間で、時間期間（ｄｔ）にわたる電圧（ｄＶ）の変化電圧は、ＬＥＤ２のカソードにおける電圧をモニタするように、および、制御ユニット１２にその結果を入力するように構成されるカソード電圧モニタユニット４０によってモニタされ」ているから、この「ＬＥＤ２」の「輝度」が「点灯（turn-on）時、および、それ以降も実質的に一定」であること、及び、「ＬＥＤ２」が「接合静電容量」の「急速」な「放電」に「応答」して「非発光となること」は、本願発明の「前記発光ダイオードモジュールを駆動信号の駆動時間において均一に発光させる」ことに相当し、「電荷注入器ユニット１３」が「ＬＥＤ２の順方向閾値電圧の値とＬＥＤ２の接合静電容量の値の積によって決定される値に応じた所定量の電荷をＬＥＤ２に入力する」こと、及び、「電荷ステアユニット１７」が「ＬＥＤ２のカソードとアノードとの間の電位差を、ＬＥＤ２の閾値電圧以下であるように減少させるのに十分である電圧を、ＬＥＤ２のカソードに印加する」ことは、本願発明の「前記検出信号に応じて、駆動信号の波形を調整」することに相当する。
　そうすると、本願発明と引用発明は、「前記制御モジュールは、前記発光ダイオードモジュールを駆動信号の駆動時間において均一に発光させるように、前記検出信号に応じて、駆動信号の波形を調整」しているということができる。
カ　本願発明においては、「前記検出信号は、前記発光ダイオードモジュールが点滅する際の所定の時間内における電圧変化量または電流変化量である」との特定がある。
　「点滅」とは、通常は、「発光量がゼロでない有限の値の状態から発光量がゼロの状態に変わることまたはその逆の状態変化」を意味するが、このように解釈すると、「点滅の際」とは、期間が定義できない一瞬となる。しかし、「所定の時間内における電圧変化量または電流変化量」と特定していることから、この特定事項によれば「所定の時間」という期間が定義されていることになる。すなわち、本願発明の「点滅」を上記通常の意味で解釈すると矛盾が生じてしまうから、本願発明における「点滅の際」とは前記のような期間が定義できない瞬間を指しているのではなく、上記「所定の時間」を規定するにあたって「発光ダイオード」の点灯や消灯が関係していることを指すにすぎないと解するのが相当である。
　また、本願の図面には、図２Ｂに、横軸が時間で縦軸が電圧（検出信号）の図が示されており、ΔＴ及びΔＶが示されているところ、本願の明細書及び図面においては、図２ＢのΔＶの計測の始点と終点が発光ダイオードの閾電圧をまたいでいることの説明はない（図２Ｂの縦軸は、発光量を示すものではないから、発光ダイオードがどの時点で閾電圧を越えて発光を開始するのかを図２Ｂから読み取ることはできない。）。そうすると、本願発明の「点滅する際の所定の時間」は、上述のとおり「発光ダイオード」の点灯や消灯が関係しているものの、その点灯や消灯の開始タイミングとは無関係に規定されるべきものであって、上記「点滅の際の所定の時間」とは、発光量がゼロの状態と最大発光量の状態の間で、電圧又は電流の変化が検出できる期間であるという程度の意味にしか理解することができない。
　上記の点を踏まえると、引用発明は、「接合静電容量が充電されるとき、ＬＥＤの両端間で、時間期間（ｄｔ）にわたる電圧（ｄＶ）の変化電圧は、ＬＥＤのカソードにおける電圧をモニタするように、および、制御ユニット１２にその結果を入力するように構成されるカソード電圧モニタユニット４０によってモニタされ、制御ユニット、または、カソード電圧モニタ４０は、所定の時間間隔（ｄｔ）後に起こった、測定された電圧変化（ｄＶ）の値を決定し、または、計算するよう構成され」ているから、この「時間間隔（ｄｔ）」は、本願発明の「前記発光ダイオードモジュールが点滅する際の所定の時間」に相当し、「時間期間（ｄｔ）にわたる電圧（ｄＶ）の変化電圧」は、本願発明の「所定の時間内における電圧変化量」に相当する。
　そうすると、本願発明と引用発明は、「前記検出信号は、前記発光ダイオードモジュールが点滅する際の所定の時間内における電圧変化量である」点において一致している。
（２）一致点及び相違点
　前記（１）の対比の結果をまとめると、本願発明と引用発明の一致点及び相違点は、以下のとおりである。
ア　一致点
「発光ダイオードモジュールを駆動するための駆動回路であって、
　制御モジュールと、
　前記制御モジュールおよび前記発光ダイオードモジュールに電気的に接続されており、
前記発光ダイオードモジュールを駆動するように駆動信号を提供する駆動モジュールと、
　前記発光ダイオードモジュールおよび前記制御モジュールに電気的に接続され、前記発光ダイオードモジュールの電圧または電流を検出して、前記電圧または前記電流に対応する検出信号を前記制御モジュールに送信する検出モジュールと、を備え、
　前記制御モジュールは、前記発光ダイオードモジュールを前記駆動信号の駆動時間において均一に発光させるように、前記検出信号に応じて、前記駆動信号の波形を調整し、
　前記検出信号は、前記発光ダイオードモジュールが点滅する際の所定の時間内における電圧変化量または電流変化量である
　ことを特徴とする駆動回路。」
イ　相違点
　本願発明においては、
「駆動モジュール」が「提供」する「駆動信号」は、「
複数の
５　相違点についての検討
（１）「複数の駆動信号」についての本願明細書の開示内容
　複数の駆動信号について、本願の明細書には下記の記載がある。下線は当審が付与した。
　「【００１９】
　制御モジュール１１は駆動モジュール１２に電気的に接続される。駆動モジュールは、発光ダイオードモジュール１３に電気的に接続され、複数の駆動信号を発光ダイオードモジュール１３に提供し発光ダイオードモジュール１３を駆動する。本実施例では、
複数の駆動信号は、複数の矩形波電圧信号または複数の矩形波電流信号を含んで
一つの矩形波は一つの駆動信号と言われる
複数の駆動信号も複数の矩形波を表す
「【００２３】
　図２Ａは補償調整されていない駆動信号の波形である。図３Ｂは補償調整されていない検出信号の波形である。図２Ａに示すように、
複数の駆動信号は、全て矩形波である
「【００２８】
　制御モジュール１１'は駆動モジュール１２'に電気的に接続される。駆動モジュールは、発光ダイオードモジュール１３'に電気的に接続され、複数の駆動信号を発光ダイオードモジュール１３'に提供し発光ダイオードモジュール１３'を駆動する。本実施例では、
複数の駆動信号は、複数の矩形波電圧信号または複数の矩形波電流信号を含んで
（２）相違点の検討
　上記の記載を参酌すると、本願発明の「複数の駆動信号」とは、例えば、一つの矩形状のパルスを一つの駆動信号とした場合に、そのような矩形状パルスが複数個連なった複数のパルスからなる信号と理解することができる。引用発明は、「ディスプレイのための光を生成するために、発光ダイオード（ＬＥＤ）を非発光状態と発光状態との間で切り替えるためのＬＥＤディスプレイ用の駆動回路」の発明であるところ、画像を表示するために、駆動信号が複数のパルスからなる信号であるべきことは自明のことにすぎず、実質的な相違点とはいえない。
（３）審判請求人の主張
　審判請求人は、審判請求書において「引用文献１の発明は、一つのＬＥＤに対する駆動回路です（図４等参照）。しかし、複数のＬＥＤを駆動するように複数の駆動信号を提供するという本願の上記特徴Ａを開示してはいません。」と主張しているところ、当該主張は、明細書における「複数の駆動信号」の意味を変更するものであり（上記（１）を参照。）、採用することができない。
　また、仮に「複数の駆動信号」を「複数のＬＥＤを駆動する」ためのものと解釈したとしても、引用発明は、「ディスプレイのための光を生成するために、発光ダイオード（ＬＥＤ）を非発光状態と発光状態との間で切り替えるためのＬＥＤディスプレイ用の駆動回路」の発明であるところ、画像を表示するために、複数のＬＥＤを駆動することは、自明のことであるから、実質的な相違点とはいえない。
（引用文献の公表特許公報の【０００２】には、「画像は、ディスプレイパネルの中のＬＥＤのアレイ内のＬＥＤの選択されたパターンからパターン化された光の短いパルスを用いて形成される。カラー画像を表示するために、ＬＥＤのアレイは、短いパルスの速い連続で、繰り返し、所望のパターンを生成するように制御されなければならない。」と記載されており、「ＬＥＤのアレイ」とあることから、引用発明も「複数のＬＥＤ」を駆動することを前提としているといえる。）
（４）作用効果について
　本願発明の奏する作用効果として、引用発明に記載された発明の奏する作用効果から予測されるものを超える格別顕著なものは認められない。
４　まとめ
　上記のとおり、相違点は実質的な相違点ではないから、本願発明は引用発明に基づいて当業者が容易に想到し得たものである。
第４　むすび
　以上のとおり、本願発明は、特許法第２９条第２項の規定により、特許を受けることができないから、他の請求項に係る発明について検討するまでもなく、本願は拒絶されるべきものである。
　よって、結論のとおり審決する。